(57)【要約】例えば、熱転写媒体プリンタのような媒体プリンタが開示されている。ある具体例において、プリンタは、選択的にＲＦＩＤトランスポンダの書き込みを行い、それらを粘着層とリリースライナーとの間の、従来のオンデマンドで印刷された媒体に組み込む。価値を付加する要素の付加による各印刷媒体サンプルの選択的な形態は、各媒体サンプルフォーマット印刷制御プログラムの処理中にソフトウェア制御下で、各媒体サンプルについて独立して実行されてもよい。付加機構は、従来の媒体プリンタに効果的に取り付けられ得ることが開示されている。これは、ＲＦＩＤトランスポンダラベルのような価値を付加する要素が、既存のプリンタに関して、オンデマンドで印刷される媒体の印刷面上の正確な位置に選択的に適用されることを可能とする。
2005525945.tif 000002
【特許請求の範囲】
【請求項１】
印刷媒体を製造する製造方法であって、
複数の媒体サンプルを、媒体供給口から媒体排出口へと移動するステップと、
選択された媒体サンプル上に情報を印刷するステップと、
上記媒体サンプルのうち上記選択されたサンプルの第１の面に情報が印刷された後に、価値を付加する装置を、上記媒体サンプルのうち上記選択されたサンプルに取り付けるステップとを備えること
を特徴とする製造方法。
【請求項２】
上記価値を付加する装置は、無線周波数識別トランスポンダ（radio frequency idntification transponders）を形成するために、上記媒体サンプル上のアンテナ構造と接触するように用いられた無線周波数識別集積回路（radio frequency idntification integrated circuits）を備えたものであること
を特徴とする請求項１記載の製造方法。
【請求項３】
上記の価値を付加する装置は、無線周波数識別トランスポンダを備えたものであること
を特徴とする請求項１記載の製造方法。
【請求項４】
さらに、上記無線周波数識別トランスポンダのうち少なくともいくつかが動作可能であることを検証するステップを備えること
を特徴とする請求項１記載の製造方法。
【請求項５】
複数の媒体サンプルの第１の面に情報を印刷するプリントヘッドと同様に、上記複数の媒体サンプルを媒体サンプルの供給口から移動させることを可能とする第１のウェブ（web）を含む熱転写プリンタとともに使用される装置であって、
上記第１のウェブから、上記複数の媒体サンプルを一時的に除去する第２のウェブと、
上記媒体サンプルのうち選択されたサンプルの第１の面に情報が印刷された後に、上記媒体サンプルのうち上記選択されたサンプルの第２の面に、価値を付加する装置を取り付ける取り付け機構とを備えること
を特徴とする装置。
【請求項６】
上記価値を付加する装置は、無線周波数識別トランスポンダを形成するために、上記媒体サンプル上のアンテナ構造と接触するように用いられた無線周波数識別集積回路を有すること
を特徴とする請求項５記載の装置。
【請求項７】
上記価値を付加する装置は、無線周波数識別トランスポンダを有すること
を特徴とする請求項５記載の装置。
【請求項８】
さらに、上記無線周波数識別トランスポンダのうち少なくともいくつかが動作可能であることを検証する手段を備えること
を特徴とする請求項７記載の装置。
【請求項９】
上記価値を付加する装置は、上記複数の媒体サンプルの全てよりも少数に取り付けられること
を特徴とする請求項５記載の装置。
【請求項１０】
無線呼びかけ信号又は電磁領域に対する非現存（a non-existent）又は所定の無線応答能力を有する一連の媒体サンプルを供給するステップと、
上記一連の媒体サンプルのうち全てではない選択されたサンプルのみの、無線呼びかけ信号又は電磁領域に対する応答能力を導入する又は既存の所定の能力を変更するステップとを備えること
を特徴とする方法。
【請求項１１】
上記価値を付加する装置は、無線周波数識別トランスポンダを形成するために、上記媒体サンプル上のアンテナ構造と接触するように用いられた無線周波数識別集積回路を備えたものであること
を特徴とする請求項１０記載の方法。
【請求項１２】
上記導入又は変更ステップは、ＲＦＩＤトランスポンダを、上記一連の媒体サンプルのうち上記選択されたサンプルのみに、挿入、適用、形成、又は関連付けることを有すること
を特徴とする請求項１０記載の方法。
【請求項１３】
上記ＲＦＩＤトランスポンダは、チップレスのトランスポンダ、受動型のトランスポンダ、及び能動型のトランスポンダからなるグループから選択されること
を特徴とする請求項１２記載の方法。
【請求項１４】
上記一連の媒体サンプルのうち上記選択されたサンプルのみの電気的な特性を導入する又は変更することを含むこと
を特徴とする請求項１０記載の方法。
【請求項１５】
上記一連の媒体サンプルのうち上記選択されたサンプルは、予め形成された特性インピーダンスを有し、上記導入又は変更ステップは、上記予め形成された特性インピーダンスを変更することを有すること
を特徴とする請求項１４記載の方法。
【請求項１６】
一連のラベル、チケット、タグ、カード、又は他の媒体を搬送するウェブ、カセット、又は他のキャリアを備え、
上記キャリアは、少なくとも１つの価値を付加する要素に関連する上記媒体の全てではなく選択された媒体によって特徴付けられること
を特徴とする製造物品。
【請求項１７】
上記要素は、無線周波数識別トランスポンダを形成するために、上記媒体上のアンテナ構造と接触するように用いられた無線周波数識別集積回路であること
を特徴とする請求項１６記載の製造物品。
【請求項１８】
上記要素は、ＲＦＩＤトランスポンダ又は別の無線トランスポンダを有すること
を特徴とする請求項１６記載の製造物品。
【請求項１９】
関連する価値を付加する要素を有する上記媒体は、トランスポンダが、欠陥品であるか、操作不可能であるか、誤った書き込みがされているか、又は他の特性若しくは属性を有するものであるか否かを示す認識可能なしるしを提示すること
を特徴とする請求項１８記載の製造物品。
【請求項２０】
上記価値を付加する要素は、第２の媒体を有すること
を特徴とする請求項１６記載の製造物品。
【請求項２１】
関連する価値を付加する要素を有する上記媒体は、その媒体又は要素がテストに落ちたか否かを示すテキスト又は他のしるしを提示すること
を特徴とする請求項１６記載の製造物品。
【請求項２２】
上記しるしは、テスト結果、日付、又はタイムスタンプを提示すること
を特徴とする請求項２１記載の製造物品。
【請求項２３】
上記キャリアは、異なった特性を有する複数の媒体を搬送すること
を特徴とする請求項１６記載の製造物品。
【請求項２４】
上記キャリアは、異なった特性を有する複数の要素を搬送すること
を特徴とする請求項１６記載の製造物品。
【請求項２５】
上記キャリアは、複数の要素を有する選択された媒体を支持すること
を特徴とする請求項１６記載の製造物品。
【請求項２６】
上記キャリアは、異なる前処理又は後処理を選択的に有する選択された媒体を支持すること
を特徴とする請求項１６記載の製造物品。
【請求項２７】
一連のラベル、チケット、タグ、カード又は他の媒体上に情報を印刷するためのオンデマンドプリンタであって、
媒体供給部と、
個別の価値を付加する要素を、一連の上記媒体において、他の媒体ではなく特定の媒体に関連付ける手段とを備えること
を特徴とするプリンタ。
【請求項２８】
上記要素は、無線周波数識別トランスポンダを形成するために、上記媒体上にアンテナ構造と接触するように用いられた無線周波数識別集積回路であること
を特徴とする請求項２７記載のプリンタ。
【請求項２９】
上記価値を付加する要素は、ＲＦＩＤトランスポンダ又は他の無線トランスポンダであること
を特徴とする請求項２７記載のプリンタ。
【請求項３０】
さらに、上記トランスポンダと通信する手段を備えること
と特徴とする請求項２９記載のプリンタ。
【請求項３１】
上記通信ステップは、
（ｉ）上記トランスポンダの特性をテストする、識別する、又は認識すること
（ｉｉ）上記トランスポンダに格納された情報を読み出すこと、及び
（ｉｉｉ）上記トランスポンダに情報を書き込むことを有すること
を特徴とする請求項３０記載のプリンタ。
【請求項３２】
さらに、上記価値を付加する要素が上記選択された媒体に関連付けられる前に、上記媒体を処理する手段を備えること
を特徴とする請求項２７記載のプリンタ。
【請求項３３】
上記処理する手段は、印刷装置を含むこと
を特徴とする請求項３２記載のプリンタ。
【請求項３４】
上記価値を付加する要素は、ＲＦＩＤトランスポンダ、又は他の無線トランスポンダであり、当該プリンタ又はプリンタ付属装置は、上記トランスポンダと通信する手段を含むこと
を特徴とする請求項３３記載のプリンタ。
【請求項３５】
上記印刷装置は、上記通信する手段に応答して、上記トランスポンダとの上記通信の結果を印刷すること
を特徴とする請求項３４記載のプリンタ。
【請求項３６】
上記印刷装置は、上記通信する手段に応答して、欠陥のしるし、又は上記トランスポンダの他の特性若しくは属性を印刷すること
を特徴とする請求項３４記載のプリンタ。
【請求項３７】
少なくとも１つの要素及び媒体が粘着性背面であってキャリア上に搬送される選択されたラベル、チケット、タグ、カード、又は他の媒体に対して選択された要素を関連付ける装置であって、
上記１つの要素又は媒体をそのキャリアからデラミネートする手段と、
上記デラミネートされた要素又は媒体を支持する手段と、
上記支持された要素又は媒体を、他の上記要素又は媒体に接触する位置へと搬送する手段と、
上記要素又は媒体をともに粘着させるように押圧する手段とを備えること
を特徴とする装置。
【請求項３８】
上記押圧する手段は、タンパーを有すること
を特徴とする請求項３７記載の装置。
【請求項３９】
上記タンパーは、
高速作動ソレノイドと、
上記ソレノイドによって駆動されるガススプリングと、
上記ガススプリングに結合され、上記媒体及び上記要素をともに押圧するための表面を画定する圧力適用機構とを有し、
上記ガススプリングは、上記ソレノイドの高速作動を減衰すること
を特徴とする請求項３８記載の装置。
【発明の詳細な説明】
【技術分野】
【０００１】
本発明は、一般に、選択的及びオンデマンドの両方により、選択された特性を有する個々のラベル、チケット、タグ、カード、その他（以下、集合的及び個々のユニットを"媒体"と称し、又は個々に"媒体サンプル"と称する。）に関連した選択された特性を有する１つ以上の価値を付加するエレメント（value-adding element）を生じさせることによって形成された慣用である方法及び装置に関する。特に、本発明は、例えば、オンデマンドに基づいて書き込み（program）された個々の媒体サンプルをともなう無線周波数識別（a Radio Frequency Identification；以下、ＲＦＩＤと称する。）トランスポンダのような価値を付加するエレメントを選択的に組み入れる方法及び装置に向けられる。
【背景技術】
【０００２】
媒体サンプルに組み入れることができる他の種類の価値を付加するエレメントは、例えば、船積書類；目録に記入、格納、又は送られる部材；クーポン、トークン、貨幣又は受取人にとって価値を有する他の物等の宣伝用デバイス；プリントアンテナに接続されたリード線を備えたラベル上の集積回路；及び、それらの識別又は使用に関する印刷媒体上の関連する情報を有する付着又は実装された付着物を含む。
【０００３】
熱転写プリンタは、一般に、個々の媒体サンプルを印刷するために用いられる。図１を参照すると、標準の熱転写プリント機構１０の側面図が示される。ラベルキャリア１２（一般にリリースライナー（release liner）と称することもある。）は、当該機構を介して、粘着性の背面を有する（一般に印刷されていない）ダイカット（diecut）ラベル１４を搬送する。一般に、各ラベルの上表面は、リボン及びラベルがコンピュータ制御されたサーマルプリントヘッド１８の下を通過する際に、当該ラベル表面上に溶解した熱転写リボン１６からのインクドットのパターンで印刷される。
【０００４】
エラストマコートされたプラテンローラ２０は、一般に、リボン−ラベルのサンドイッチ上のプリントヘッドの要求された圧力についてのレシーバとしての作用とともに、ラベルキャリア１２での摩擦駆動作用の手段によってリボン及びラベル両方の移動力を供給するために、ステッピングモータ（図示しない）によって駆動される。この圧力は、プリントヘッド１８の下で溶解したインクドットを、熱転写リボン１６からダイカットラベル１４の表面上に移動させるのを補助する。
【０００５】
熱転写リボン１６は、プリンタリボン供給部２２から繰り出され、アイドラ（idler）ローラ２４によってサーマルプリントヘッド１８へと導かれる。インクがリボン１６からダイカットラベル２６上に溶解した後に、使用済リボンは、プリンタリボン巻き取り軸２８に巻回される。
【０００６】
一般に、媒体排出口３０は、プリントヘッド１８の直後に位置する。印刷されたばかりのダイカットラベル２６は、通常そのラベルキャリア１２上に施行される。印刷されたダイカットラベルがラベルキャリアから自動的に剥離されることをユーザが望む場合には、オプションのピーラーバー３２が利用される。ラベルキャリア１２がピーラーバー３２の尖輻を通過する際に、粘着性ボンドは、そのラベルキャリア１２から印刷されたダイカットラベル２６が離れることによって破壊される。剥離されて印刷されたダイカットラベル２６は、媒体排出口３０に施行される。余分なラベルキャリア１２は、オプションのラベルキャリア巻き取り機構３４を用いて、剥離のために伸張され、再度巻き取られる。
【０００７】
以下に詳細に示すように、本発明の具体的な実施例は、サーマル又は熱転写プリンタの環境において、"スマート"ラベルを作製するために、選択的に及びオンデマンドに関連するラベルを備えたＲＦＩＤトランスポンダ等を含む。"チップレス"のＲＦＩＤトランスポンダは存在し、且つ本発明のある様相を備えた価値を付加するエレメントの一例として利用され得るが、スマートラベルに使用されるＲＦＩＤトランスポンダの最も一般的な形態は、アンテナ及びＲＦＩＤ集積回路を備えるものである。そのようなＲＦＩＤトランスポンダは、ＤＣ電力の能動型のトランスポンダとバッテリのない受動型のトランスポンダとの両方を含み、多様な形態ファクタに利用可能である。図２に示す一般に用いられる受動型のインレイトランスポンダ３６は、略薄型且つ平型の形状を呈する。ラベルへの自動挿入のために、インレイトランスポンダ３６は、一般に、感圧型の粘着性の背面を備え、個々にダイカットされて搬送され、インレイキャリア上に一定間隔でマウントされる。
【０００８】
インレイトランスポンダは、遠隔地で無線で読み出され得る不揮発性メモリエリアデータに格納されている符号化データを伝送するための識別タグ及びラベルの層として用いられている。例えば、遠隔地で書き込み及び読み出しを行うためにアクセス可能な無線周波数識別トランスポンダを有するカメラは、米国特許第６１７３１１９号明細書に開示されている。
【０００９】
インレイトランスポンダ３６用のアンテナ３８は、非導電性支持部４０に配置された導電性トレースの形態であり、平面コイルのような形状を有する。アンテナリード４２もまた、必要に応じて組み込まれる非導電性の層をともなって配置される。インレイトランスポンダ３６のＲＦＩＤ集積回路４４は、ＥＥＰＲＯＭ（Electrically Erasable Programmable Read Only Memory）のような不揮発性メモリと、リーダによって生成されたＲＦフィールドからの電力生成を行うためのサブシステムと、ＲＦ通信能力部と、内部の制御機能とを含む。ＲＦＩＤ集積回路４４は、非導電性支持部４０に実装され、アンテナリード４２を介して動作可能に接続される。インレイは、一般に、単独に、Ｚフォーム（Z-form）上に、又は図２に示すようにロールインレイキャリア４６上にパッケージ化される。
【００１０】
"スマートラベル"を形成するためにトランスポンダを媒体へ挿入し、スマートラベルの表面に情報を印刷するための印刷装置（on-press equipment）の利用法が知られている。例として、１９９９年９月１４日付ゼブラテクノロジーズ社のＰ／Ｎ１１３１５Ｌ  Ｒｅｖ．１"ＲＦＩＤテクロジー＆スマートラベル"と題する刊行物を参照する。さらに、例として、２０００年５月２４日付のClive P. Hohberger(PhD)による"１３．５６ＭＨｚ  ＲＦＩＤスマートラベル及びＲＦＩＤプリンタ／エンコーダのためのＡＩＭ業界標準開発白書"と題する刊行物もまた参照する。これらの刊行物は、両方とも、この特許出願に引用することによって恰も完全にここで述べられるかのように、組み込まれている。
【００１１】
感圧ラベルをビジネスフォームに付着するためのラベルアプリケータ装置の利用法もまた知られている。そのような装置は、この特許出願の１年以上前に、いくつかの会社により米国の市場で商業的に利用可能となっている。
【００１２】
ゼブラテクノロジー社は、上述した２つの引用刊行物に開示される技術の多くの様相を取り入れた多くのオンデマンド熱転写プリンタを含む多くのプリンタ関連製品の最先端の製造業者である。この特許出願の１年以上前に商業的に利用可能となっている"スマートラベル"プリンタのような例は、ゼブラモデルナンバーＲ−１４０を含む。
【００１３】
そのような製品は、それらの意図した用途を充足したものである。しかしながら、さらなる改良が望まれている。本発明のある特定の特徴及び利点は、以下の説明から明白になるであろう。
【発明を実施するための最良の形態】
【００１４】
本発明の目的及び利点は、以下の詳細な説明及び添付図面を参照すれば、関連する技術についての通常の技術者にとってより容易に明白になるであろう。
【００１５】
本発明は、様々な形態の具体例が可能であるが、以下詳細に説明されている現在望まれている複数の具体例が図示される。この開示は、本発明の一例として考慮されるものであり、また、図示された特定の具体例に本発明が制限されることを意図するものではないことは理解されるべきである。さらに、この特許出願のこのセクションのタイトル（"具体例の詳細な説明")は、アメリカ特許商標庁の要請に則るものであり、ここに開示された主要事項を制限することがないことは理解されるべきである。
【００１６】
図３を参照すると、この特許出願で開示される本発明の複数の様相を含む熱転写プリンタ４８の概略を示す側面図が示されている。図３に示す本発明の具体例において、熱転写プリンタ４８は、図１に示す全てのコンポーネントを含む標準の熱転写プリント機構を備える。プリンタ４８はまた、例えば、以下詳細に示すように印刷後に媒体サンプルに添付される書き込みされたＲＦＩＤトランスポンダ５２のような価値を付加する装置（value-adding device）を生じさせる識別対象５４〜７０を備えた価値を付加する機構（value adding mechanism）５０を含む。
【００１７】
価値を付加する機構５０は、既存の熱転写プリンタを改装することを可能とするために、熱転写プリント機構１０とは別個に製造及び販売されることが可能とされ、したがって、この特許出願に開示される本発明の複数の様相にしたがって作動することは理解されるべきである。さらに、本発明の具体例は、熱転写プリントに関して開示されるものの、本発明は、その他の印刷技術にも適用可能であることは理解されるべきである。
【００１８】
再度図３を参照すると、熱転写プリンタ４８は、以下詳細に示すようなプログラム制御下の価値を付加する機構５０により、背面が粘着性である書き込みされたＲＦＩＤトランスポンダ５２が、選択的に印刷されたダイカット媒体サンプル（例えば印刷されたダイカットラベル２６のような）に接着することを可能とする。印刷が終了したダイカットラベル／書き込みされたトランスポンダのサンドイッチ（２６／５２）は、任意に剥離されたラベルキャリア１２とともに媒体排出口３０に現れる。
【００１９】
印刷直後において、印刷されたダイカットラベル２６は、ピーラーバー３２の尖輻を通過することにより、そのラベルキャリア１２から離される。ピーラーバー３２によって実行される層間剥離プロセスは、印刷されたダイカットラベル２６の印刷されていない底面上に粘着剤を露呈させる。
【００２０】
そして、印刷されたダイカットラベル２６は、タンピングアプリケータ機構５６における均等な孔が穿設された真空ガイドプレート５４上を通過する際に、直線状を維持する。遠心性送風装置５８は、プレナム６２内で僅かな真空を発生させるために、空気６０を抽出する。これにより、僅かな上方向への力が生じ、均等な孔が穿設された真空ガイドプレート５４に対向して配置され続ける印刷されたダイカットラベル２６上に維持される。真空力の大きさは、印刷されたダイカットラベル２６の前方移動を妨げない程度である。プレナム６２は、一般にラベルの移動の軌道に垂直な中心軸に沿って伸張可能である。
【００２１】
層間剥離されたラベルキャリア１２は、トランスポンダ施行機構６６（図６）の周囲にある当該ラベルキャリア１２のフローを制御するために用いられるバッファループローラ６４の周囲を通過する。バッファループローラ６４は、上下方向に移動自在とされ、このプロセスにおける異時刻に余分なラベルキャリア１２を巻き取って戻すことができる。
【００２２】
具体例において、施行機構６６の１つの機能は、印刷されたダイカットラベル２６の下にそれとの作用関係において、背面が粘着性であるＲＦＩＤトランスポンダ５２を配置することである。ＲＦＩＤトランスポンダ５２は、図示されるように、インレイキャリア４６上に送られる。そして、タンピングアプリケータ機構５６（図３）は、固定された穿孔真空ガイドプレート５４が、印刷されたダイカットラベル２６における印刷された側面を軽くタンピングするように、可撓性蛇腹７０を用いて下方にプレナム６２を伸張する。これにより、印刷されたダイカットラベル２６の露呈された粘着面は、ＲＦＩＤトランスポンダ５２の上表面に接着される。
【００２３】
ラベル−トランスポンダのサンドイッチ（２６／５２）は、そこで前方へと搬送され、上側ニップローラ７４と下側ニップローラ７６によって形成されるニップ７２を通過させられる。ニップ圧縮は、印刷されたダイカットラベル２６の粘着剤をＲＦＩＤトランスポンダ５２に付着するとともに、ラベル−トランスポンダのサンドイッチ（２６／５２）をラベルキャリア１２に対して再度ラミネートする。そして、形成されたダイカットラベル−トランスポンダ−ラベルキャリアのサンドイッチ（２６／５２／１２）は、価値を付加する機構５０を出ていく。周知のとおり、ラベルキャリア１２は、排出ピーラーバー７８及びオプションのラベルキャリア巻き取り機構３４を用いることにより、ダイカットラベル／トランスポンダのサンドイッチ（２６／５２）から任意に剥離され得る。
【００２４】
一般に、下側ニップローラ７６のみが駆動され、このローラは、プラテンローラ２０と同じ表面速度で駆動される。これは、例えば、プラテンローラ２０とニップ７２との間隙よりも長い印刷されたダイカットラベル２６が変形することなく、プリンタ４８に適応されることを可能とする。
【００２５】
図４は、図３に示すタンピングアプリケータ機構５６の一部の詳細な断面図である。密封されたケース８０及び密封された可撓性蛇腹７０は、印刷媒体が熱転写プリンタ４８を通過する際に、当該印刷媒体に適用される部分的な真空を含む閉じたプレナム６２を形成する。これにより、印刷されたダイカットラベル２６の下側の大気圧は、穿孔真空ガイドプレート５４にラベルを一時的に付着させる。
【００２６】
プレナム６２内の真空は、内部孔８４，８６を介してブロワ入口８８内に通過しながら、穿孔真空ガイドプレート５４内に孔８２を介して吸い込まれた空気６０を吐出する遠心性送風装置５８によって生成される。ドライブブラケット１０４を介して穿孔真空ガイドプレート５４及びベースプレート９０の両方に取り付けられた可撓性蛇腹７０は、当該穿孔真空ガイドプレート５４がプレナム６２内の密閉された真空を維持する間に上下に移動することを可能にする。
【００２７】
ベースプレート９０は、熱転写プリンタ４８のハウジングの一部を形成し、ケース８０上に実装される。タンピングアプリケータ機構５６は、ケースブラケット９２上に実装され、当該ケースブラケット９２に固定されて取り付けられたソレノイドコイル９４を備えた２部のソレノイドと、カプラ１００を介してガススプリングプランジャ９７に取り付けられたソレノイドプランジャ６８とを含む。ガススプリング９８の本体は、図示されるように、ドライブブラケット１０４を介して間接的に穿孔真空ガイドプレート５４に付属するリニアベアリング１０２内を自在にスライドする。移動可能なカプラ１００と固定されたベースプレート９０との間のリターンスプリング１０６は、ソレノイドコイル９４の給電が切られた場合に、ソレノイドプランジャ６８及び鉄ディスク９６をそれらの休止位置に戻すための力を供給する。
【００２８】
ガススプリング９８の１つの機能は、プレナム伸張の程度とは独立して一定の力を真空ガイドプレート５４に移すことである。リターンスプリング１０６及び駆動部分とともに作用するガススプリング９８はまた、穿孔真空ガイドプレート５４の動きに粘性による減衰を供給し、ソレノイドコイル９４が給電された場合にソレノイドプランジャ６８の急激な作用から分断して鉄ディスク９６を引き下げる。ガスダンパ又は他の粘性ダンパは、同様の機能を果たすために、ガススプリング９８の代わりに代替的に用いられてもよい。
【００２９】
代替の設計概念は、圧縮空気の供給源が利用可能な場合に、タンピングアプリケータ機構にとって利用可能である。プレナム６２内の部分的な真空は、ベンチュリ管を介して圧縮空気を通過することによって生成されてもよい。タンピングアクチュエータは、エアシリンダでもよく、穿孔真空ガイドプレート５４の下方への伸張におけるガススプリング９８の機能に代わり、上述したエアシリンダ内で制御された空気流をともなう。代替として、タンピングは、伸張可能でないプレナム６２を備えた代わりのタンピングアプリケータ機構５６におけるラベル上への穿孔真空ガイドプレート５４を介したエアブラスト（air blast）を用いて実行されてもよい。
【００３０】
図５を参照すると、図３に示す熱転写プリンタ４８の概略の断面図が示される。施行機構６６は、完全に収縮された初期位置に配置される。図５に示される本発明の具体例において、プリンタ４８は、ＲＦＩＤ集積回路４４内のメモリへの書き込みを行うために、トランスポンダ書き込みアンテナ１１０によって放射されるＲＦ信号１０８の利用を含む。図５に示される完全に収縮された位置において、書き込みされたばかりのＲＦＩＤトランスポンダ５２は、直接トランスポンダ書き込みアンテナ１１０の下方に位置する。
【００３１】
施行機構６６は、本発明の具体例において、他の物の間に、トランスポンダキャリアローラ１１２，１１３，１１５、固定ガイドプレート１１４、及びリニアアクチュエータ１１６を備える。リニアアクチュエータ１１６は、書き込みされたばかりのＲＦＩＤトランスポンダ５２が所望の挿入口でダイカットラベル２６の下に配置されるように、固定ガイドプレート１１４を伸張及び収縮する。
【００３２】
書き込みされたトランスポンダ５２を印刷されたダイカットラベルの下に適切に配置するために、ローラマイトステッピングモータ１２０によって回転するローラマイト駆動機構１１８は、トランスポンダインレイキャリア４６の移動を調節するようにリニアアクチュエータ１１６の動きと同期する。この動きはまた、トランスポンダ供給ロールスピンドル１２２及びインレイキャリア巻き取りスプール１３２のインレイキャリア巻き取りスピンドル１２４の動きと同期する。供給ロール駆動部１２６は、繰り出しレジスタンスのコンピュータ制御、及びトランスポンダ供給スプール１２８の制動機能の両方を供給する。インレイキャリア巻き取りスピンドル１２４上で作用する巻き取りロール駆動部１３０は、インレイキャリアピーラーバー１３４で書き込みされたＲＦＩＤトランスポンダ５２からインレイキャリア４６を剥離するための剥離張力を与えるローラマイト駆動機構１１８における巻き取り紙滑りを防ぐために、インレイキャリア４６上に適切な張力を維持する。
【００３３】
トランスポンダ位置センサ１３６は、トランスポンダ５２がトランスポンダ書き込みアンテナ１１０の下にいつ適切に配置されるかを検出する。トランスポンダ位置センサ１３６は、図６に示される制御エレクトロニクスの一部であり、インレイキャリア４６の動作を制御するために用いられる。
【００３４】
図６は、図３に示される熱転写プリンタ４８の主要な電子構成要素のブロック図の概略である。本発明の具体例において、プリンタ４８は、プロセッサバス１４０に取り付けられる装置を備えたプロセッサユニット１３８を含む。プロセッサユニット１３８は、プリンタＩ／Ｏポート１４２を介してユーザから受信し、メモリ１４４内に記憶されたプログラム命令のセットを実行する。図６に示すように、プロセッサユニット１３８は、他の物のうち、プラテンローラ２０を駆動するプラテンローラ駆動部１４６と、サーマルプリントヘッド１８と、トランスポンダ書き込みアンテナ１１０に順次接続されるトランスポンダプログラマ１４８と、トランスポンダ位置センサ１３６と、リニアアクチュエータ１１６と、供給ロール駆動部１２６と、ローラマイト駆動機構１１８を作動するローラマイトステッピングモータ１２０と、インレイキャリア巻き取りロール駆動部１３０と、タンピングソレノイド９４とに対して、プロセッサバス１４０を介して機能的且つ電子的に結合される。
【００３５】
図７は、熱転写プリンタ４８によって実行される各印刷ジョブについて、図６に示すプロセッサユニット１３８によって実行されるプログラムステップを示すフローチャートである。この特許出願に開示される本発明に関する印刷ジョブのプログラミングにおける使用にふさわしいプログラミング言語は、例えば、ゼブラテクノロジー社によって作成されたプリンタ用の汎用言語であるＺＰＬ  ＩＩ（登録商標）を含む。
【００３６】
プロセッサ１３８（図６）は、まず、プロセス１５０において、オンデマンド又は選択的ベースで行うことをユーザが望む印刷ジョブのパラメータをメモリ１４４から検索する。例えば、ユーザは、プリンタ４８に１００個のダイカットラベルのバッチを印刷させ、全ての他のダイカットラベルが、書き込みされたＲＦＩＤトランスポンダ５２とともに供給される"スマートラベル"となるような命令のセットをメモリ１４４に格納してもよい。全ての"オンデマンド"印刷ジョブは、（現に開示されている本発明の望ましい実行において）少なくとも１つのスマートラベルを含む印刷ジョブのような範囲まで、本発明に関して包含することを意図されることは理解されるべきである。
【００３７】
再度図７を参照すると、プログラムステップ１５２において、プロセッサユニット１３８（図６）は、印刷されることになっているダイカットラベル１４が、それに取り付けられる書き込みされたＲＦＩＤトランスポンダ５２を有するようにするか否かを決定する。否の場合には、その後、印刷されたダイカットラベル２６は、プロセス１５４において形成される。プログラムステップ１５６において、全ての印刷ジョブが完了するように決定された場合には、プログラムシーケンスは終了する。印刷ジョブが完了していない場合には、プロセス１５８において、新しいダイカットラベル１４が次の印刷サイクルのためにプリントヘッド１８の下に適切に配置されるとともに、そのラベルフォーマットがインデックスされる。そして、プロセッサユニット１３８は、プログラムステップ１５２までループするように命令を実行する。
【００３８】
プログラムステップ１５２において、プロセッサユニット１３８が、印刷されることになっているダイカットラベル１４にＲＦＩＤトランスポンダ５２が取り付けられるように決定した場合には、ＲＦＩＤトランスポンダ５２は、プロセス１６０において、書き込みされ、操作可能であり且つプロセス１６２にて正確に書き込みされた旨を検証される。書き込みされたＲＦＩＤトランスポンダ５２が正確に検証された場合には、ダイカットラベル１４は、プロセス１６３において、印刷されたダイカットラベル２６を形成するように印刷され、書き込みされたＲＦＩＤトランスポンダ５２は、プロセス１６４において、価値を付加する機構５０の操作により、印刷されたダイカットラベル２６に取り付けられる。そして、プロセッサユニット１３８は、印刷ジョブが上述したように実行されるか否かを判断するために、プログラムステップ１５６を実行する。印刷ジョブが実行されない場合には、媒体及びラベルフォーマットは、プロセス１５８において、インデックスされ、そして、プロセッサユニット１３８は、プログラムステップ１５２までループする。
【００３９】
トランスポンダ書き込み及び検証は、例えば上述したような通常のラベルフォーマットよりも、欠陥のあるトランスポンダ５２をともなったスマートメディアが、それに例えば"無効"と印刷することによって識別することができるように、一般に、媒体に印刷する前に生じる。そして、プリンタ４８は、一般に、不完全なスマートラベルを排出し、適切に符号化されたトランスポンダ及び正確なラベルフォーマットを備えた完全に機能的なスマートラベルが製造されるまで、自動的にそのプロセスを繰り返す。これは、ユーザが特定のオンデマンドの印刷ジョブにおいて製造することを望む完全なラベルのバッチを正確に作ることを確実にする。すなわち、検証プロセス１６２においては、プロセッサユニット１３８が、書き込みされたＲＦＩＤトランスポンダ５２が操作可能ではないものと決定する場合には、それは直接配列されてもよい。代替として、例えば"ＶＯＩＤ"のような適切なしるしは、プロセス１６３において、ダイカットラベル２６上に印刷され、操作不可能なＲＦＩＤトランスポンダ５２は、適切に識別された欠陥のあるトランスポンダ５２をプリンタ４８から排出するために、プロセス１６４において、"ＶＯＩＤ"と印刷されたラベルに取り付けられる。プロセッサユニット１３８は、新しいＲＦＩＤトランスポンダ５２を書き込んで検証するために、プロセス１６０及び１６２等においてループし、実装されて検証されて書き込みされたＲＦＩＤトランスポンダ５２を備えた印刷されたダイカットラベル２６が正確に完成されるまで、適切なダイカットラベル２６の印刷、及びプロセス１６４におけるそれらの取り付けを継続する。そして、プログラムは、プログラムステップ１５６において、その印刷ジョブが完了するか否かをテストすることによって継続する。
【００４０】
図８乃至図１０は、印刷されたダイカットラベル２６（図７におけるステップ１６４）に対して、書き込みされたＲＦＩＤトランスポンダ５２、又は他の適切な価値を付加する要素を取り付けるためのプロセスの一例を示している。プロセッサユニット１３８（図６）は、リニアアクチュエータ１１６に伸張させるとともに、供給ロール駆動部１２６にトランスポンダ供給スプール１２８を繰り出させ、一方、ローラマイトステッピングモータ１２０及び巻き取りロール駆動部１３０もまた、略同量のインレイキャリア４６を繰り出す。これは、新たな書き込みされていないＲＦＩＤトランスポンダ１６６が、トランスポンダ位置センサ１３６の検出範囲内に適切に配置されるまで継続する。
【００４１】
図９において、プロセッサユニット１３８（図６）は、タンピングアプリケータ機構５６を作動させる。ソレノイドコイル９４に電流を流すことにより、鉄ディスク９６の磁力は、カプラ１００を介して動作するソレノイドプランジャ６８及びガススプリングプランジャ９７を作動させ、これにより、ガススプリング９８を圧縮する。伸張には依存しない略一定のタンピング力は、可撓性蛇腹７０及びこれにともなってプレナム６２を伸張するドライブブラケット１０４上のガススプリング９８のボディによって伝達される。これは、固定された穿孔真空ガイドプレート５４が、固定されたガイドプレート１１４をアンビル（anvil）として用いて、書き込みされたトランスポンダ５２に対して印刷されたダイカットラベル２６の粘着面を押圧することを生じさせる。これは、書き込みされたトランスポンダ５２を印刷されたダイカットラベル２６に対して粘着させる。
【００４２】
例えば上述したように一度タンピングが起こると、プロセッサユニット１３８は、新たな書き込みされていないＲＦＩＤトランスポンダ１６６がトランスポンダ位置センサ１３６の下にとどまるように、供給ロール駆動部１２６を制動し続ける一方で、リニアアクチュエータ１１６を収縮させることを生じさせる。プロセッサユニット１３８は、ローラマイトステッピングモータ１２０が余分なインレイキャリア４６を巻き取って張力を維持するようにローラマイト駆動機構１１８を介して動作するように、リニアアクチュエータ１１６の動作を調節しつつローラマイトステッピングモータ１２０を作動する。ローラマイト駆動機構上の張力は、余分なインレイキャリア４６を巻き取りロールスピンドル１２４上に巻き付かせる巻き取りロール駆動部１３０に給電することによって維持される。
【００４３】
インレイキャリア４６上の張力をともなうガイドプレート１１４上のリニアアクチュエータ１１６の収縮動作は、印刷されたダイカットラベル２６に粘着される書き込みされたＲＦＩＤトランスポンダ５２の底面の粘着層から、インレイキャリアピーラーバー１３４でインレイキャリア４６を剥離することを補助する。この剥離プロセスは、ガイドプレート１１４が図５に示す位置へ完全に収縮するまで継続する。そして、新たな書き込みされていないＲＦＩＤトランスポンダ１６６は、即時に書き込みを行うために、トランスポンダ書き込みアンテナ１１０の下方に適切に配置される。
【００４４】
書き込みされたＲＦＩＤトランスポンダ５２が印刷されたダイカットラベル２６に接着されてきたが、プロセッサユニット１３８は、リターンスプリング１０６の力によって伸縮するタンピングアプリケータ機構５６を停止させる。
【００４５】
図１０において、ダイカットラベル／トランスポンダスマートラベルのサンドイッチ（２６／５２）は、次の印刷されていないダイカットラベル１４が、次の印刷サイクル用にプリントヘッド１８の下に配置されるまで、滑らかな穿孔真空ガイドプレート５４を横切ってスライドするプラテンローラ２０によって前方移動される。サンドイッチ（２６／５２）の駆動は、駆動されたニップローラ７６によって継続し、ニップ７２においてラベルキャリア１２との再ラミネーションを生じさせる。書き込みされたＲＦＩＤトランスポンダ５２の実装をともなう印刷されて書き込みされたＲＦＩＤスマートラベルの製造は、そこで終了され、ラミネートされたスマートラベル（２６／５２／１２）は、ラベル排出口３０で排出される。図示されるように、ラベルキャリア１２はまた、図１において述べたものと同様の方法で、印刷されたスマートラベル(２６／５２)から任意に剥離されてもよい。
【００４６】
代替として、ピーラーバー３２（図３）でデラミネートされたラベルキャリア１２は、例えば、ラベルキャリア巻き取り機構３４と同様の巻き取り機構の利用によってシステムから除去されてもよい。この例において、ラベルキャリア１２の第２の供給ロールは、ニップ７２でのラベルサンドイッチ（２６／２５／１２）の再ラミネーションのために用いられ、バッファループローラ６４が省略されてもよい。
【００４７】
図１１乃至図１５は、チケット、タグ、プラスチックカード、及び粘着層を含まない他の固い媒体について使用するために設計された（図３に示すような）熱転写プリンタ４８の変形例を示している。このチケット及びタグプリンタ１６８は、熱転写プリント機構１０、タンピングアプリケータ機構５６、施行機構６６、及び裁断機構１７０を備える。図１１乃至図１５に示す具体例はまた、印刷された自己粘着ラベルの表面に対して自己粘着トランスポンダを適用するのに有効である。
【００４８】
図１１乃至図１３では特に示されていないが図３乃至図１０の具体例で示されるアイテムは、図３乃至図１４に全体的に開示された本発明の全て又はいくつかを組み入れた実際の製品には存在し得ることに注意されたい。しかしながら、上述の示されていない構成要素は、図１１乃至図１４にさらに示される具体例では役割を有しないことから、それらは、単純化のために、図１１乃至図１４には示されていない。
【００４９】
図１１を参照すると、書き込みされたＲＦＩＤトランスポンダ５２は、インレイキャリア４６上の当該書き込みされたＲＦＩＤトランスポンダ５２の粘着性背面の表面に対して、ダイカットトランスポンダフェースストック（facestock）１７４を接着することにより、それ自体がトランスポンダラベル１７２として形成される。固い媒体１７６は、通常連続的な形状で供給されることから、印刷後に任意に裁断してもよい。カッター刃１７８を含むオプショナルカッター１７０は、図１１において、ニップローラ７４，７６と媒体排出口３０との間に示される。電気的に操作されるカッター機構１７０は、熱転写チケット及びタグプリンタ１３８の一部として、プロセッサユニット１３８（図６）にプロセッサバス１４０（図６）を介して付加的に接続される。
【００５０】
図１２において、タンピングアプリケータ機構５６は、図９の説明と同様の方法で伸張される。プロセッサユニット１３８（図６）は、可撓性蛇腹７０を伸張して穿孔真空ガイドプレート５４をトランスポンダラベル１７２に対して押圧するタンピングアプリケータ機構５６のソレノイドコイル９４を給電する。図９と同様に、施行機構６６の図示しないガイドプレートは、インレイキャリアピーラーバー１３４（図９参照）で、トランスポンダラベル１７２からインレイキャリア４６を剥離し、それによってトランスポンダラベル１７２の下側粘着面をさらしたまま収縮する。
【００５１】
図１３において、ソレノイドコイルに給電されない場合には、タンピングアプリケータ機構５６は、遠心性送風装置５８によって生成された真空力によって穿孔真空ガイドプレート５４に対して保持されたままのトランスポンダラベル１７２とともに、スプリング１０６によって完全に収縮する。トランスポンダラベル１７２のさらされた下側粘着面は、固い媒体１７６の軌道上に配置される。
【００５２】
固い媒体１７６（チケット、タグ、プラスチックカード、ラミネートラベルストック等）は、トランスポンダラベル１７０が配置されるポイントまで、プラテンローラ２０によって印刷されて前方へ施行される。図１４を参照する。印刷された固い媒体１７６が正確な位置にある場合には、タンピングアプリケータ機構５６は、当該印刷された固い媒体１７６上にトランスポンダラベル１７２を押圧する。タンピングプロセス中に、施行機構６６のガイドプレートは、固定されたガイドプレート１１４がタンピングアプリケータ機構５６のためのアンビルとして作動するように、印刷された固い媒体１７６の下で任意に拡張してもよいことに注目されたい。
【００５３】
図１４において、トランスポンダラベル／印刷された固い媒体のサンドイッチ（１７２／１７６）は、ニップローラ７４，７６を介して前進し続け、トランスポンダラベル１７２が当該ニップローラ７４，７６による圧縮によって印刷された固い媒体１７６に永久に接着される。そして、個別の固い媒体１７６が、トランスポンダ／媒体のサンドイッチ（１７２／１７６）を形成するために使用される場合には、当該サンドイッチは、媒体排出口３０を介して排出される。
【００５４】
連続的な固い媒体１７６の場合には、トランスポンダ／媒体のサンドイッチ（１７２／１７６）を搬送する固い媒体は、カッター機構１７０を用いて任意に適切な長さに裁断されてもよい。これは、図１５に示すように、例えば電気的に制御されたカッター刃１７８を作動させるプロセッサユニット１３８による印刷ジョブソフトウェアの制御下で遂行される。その場合には、スマートチケット又はタグの裁断長分は、媒体排出口３０で排出し、残りの固い媒体１６は、次の印刷サイクルの開始のためにプリントヘッド１８の下に配置するように、プラテンローラ２０によって収縮される。
【００５５】
図１５は、熱転写プリンタ４８によって実行される各印刷ジョブについて、図６に示すプロセッサユニット１３８によって実行されるプログラムステップを示すフローチャートである。図１５におけるプログラムステップ及びプロセスの多くは、図７のフローチャートにおけるそれらと同一又は類似することに注目されたい。プロセッサユニット１３８は、まず、プロセスステップＳ１５０において、オンデマンドベースで実行されることをユーザが望む印刷ジョブのパラメータをメモリ１４４から検索する。例えば、ユーザは、チケット及びタグプリンタ１６８に、連続的な固い媒体１７６のロールから２１個のチケットのバッチを印刷させ、第１のチケットのみが、書き込みされたＲＦＩＤトランスポンダラベル１７２とともに供給される"スマートチケット"となるような命令のセットをメモリ１４４（図６）に格納してもよい。全ての"オンデマンド"印刷ジョブは、（開示されている本発明の望ましい実行において）少なくとも１つのスマートチケット又はタグを含む印刷ジョブのような範囲まで、本発明に関して包含することを意図されることは理解されるべきである。
【００５６】
図１５を参照すると、プロセッサユニット１３８（図６）は、プログラムステップ１８０において、印刷されることになっている固い媒体サンプルが、それに取り付けられるプログラムＲＦＩＤトランスポンダラベル１７２を有するか否かを決定する。有しない場合には、印刷されたチケットは、プロセス１８１において単に形成される。プログラムステップ１８２においては、媒体サンプルが裁断されるか否かが決定される。プラスチックカードのような個別の媒体が用いられる場合には、プロセス１８３において、完成した媒体サンプルは、媒体排出口３０で単に排出され、新たな媒体サンプルが次の印刷サイクルのためにプリントヘッド１８の下に配置される。
【００５７】
印刷された連続的な固い媒体が裁断されることになっている場合には、プロセス１８４において、連続的な固い媒体１７６は、カッター機構１７０のカッター刃１７８の間の裁断ポイントに配置される。その後、プロセッサユニット１３８は、固い媒体供給についての印刷されたチケット、タグ、スマートチケット、又はスマートタグを裁断するために、電気的に操作されるカッター機構１７０を作動し、それを媒体排出口３０へと搬送する。そして、連続的な固い媒体は、次の印刷サイクルのために、プリントヘッド１８の下の印刷開始位置までプラテンローラ２０を用いて戻される。
【００５８】
ステップ１５６において、全ての印刷ジョブが完了したものと決定された場合には、プログラムシーケンスは終了される。印刷ジョブがなされない場合には、媒体印刷フォーマットは、ステップ１８５において、インデックスされ、プロセッサユニット１３８は、プログラムステップ１８０までループする。
【００５９】
プログラムステップ１８０において、プロセッサユニット１３８がＲＦＩＤトランスポンダが次のチケット又は印刷されることになっているタグに取り付けられることを決定した場合には、ＲＦＩＤトランスポンダラベル１７２は、プロセス１６０において、書き込まれ、そして、プロセス１６２において、操作可能で正確に書き込まれたとして検証される。プログラムＲＦＩＤトランスポンダラベル１７２が正確に検証された場合には、チケット又はタグは、プロセス１８１において印刷され、プログラムＲＦＩＤトランスポンダラベルは、プロセス１８６において、価値を付加する機構５０の操作により、印刷された媒体サンプルに取り付けられる。そして、プロセッサユニット１３８は、媒体が裁断されることになっているか否かを確かめるために、上述したような適切な処置を講じてプログラムステップ１８２を実行し、その後、上述したように、印刷ジョブを終了するために、プログラムステップ１５６を実行する。
【００６０】
トランスポンダ書き込み及び検証は、通常のメディアフォーマット１８１ではなく、欠陥のあるトランスポンダラベル１７０をともなったスマートメディアが、ステップ１８７においてそれに"無効"と印刷することによって識別することができるように、一般に、媒体に印刷する前に生じる。そして、チケット又はタグプリンタ１６８は、一般に、不完全なスマートチケット又はタグを媒体排出口３０で排出し、図７に説明したものと同様の方法で、適切に符号化されたトランスポンダ及び正確な印刷媒体フォーマットを備えた完全に機能的なスマートチケット又はタグが製造されるまで、自動的にプロセス１６０，１６２を繰り返す。
【００６１】
さらに、図１１乃至図１５に示される具体例の変形は、媒体サンプル上に導電性アンテナを印刷すること、及びそのアンテナ（例えばモトローラ社製のＢｉＳｔａｔｉｘ（登録商標）"インターポーザ（interposer）"、及びマルコーニ社製のＩｎｔｅｒｍｅｃ  Ｉｎｔｅｌｌｉｔａｇ（登録商標）  ９００ＭＨｚ又は２．４５ＧＨｚ  ＲＦＩＤ集積回路を用いて作られたもの）に電気的に接触したＲＦＩＤ集積回路からなるラベルを取り付けることにより、実際にトランスポンダを形成するために用いられてもよい。
【００６２】
例えば、図１６Ａを参照すると、モトローラ社製のＢｉＳｔａｔｉｘ（登録商標）集積回路１９１に基づくＢｉＳｔａｔｉｘラベル１９０は、まず２つの導電性マウントパッド１９３を形成し、そしてそれらをモトローラ社製のＢｉＳｔａｔｉｘ（登録商標）１９１上の２つのアンテナコンタクトに接着することにより、透明な非導電性ラベルストック１９２上に形成される。ロール形状のこれらのＢｉＳｔａｔｉｘラベル１９０は、チケット及びタグプリンタ１６８におけるトランスポンダ供給ロール１２８として用いられる。印刷プロセス中に、熱転写リボン１６及び非導電性媒体１９４の適切な選択により、２つの印刷された導電性カーボンアンテナパネル１９５は、チケット又はタグ上に形成され得る。価値を付加する機構５０は、図１６Ｂに示すように、完全なＲＦＩＤトランスポンダを形成するために、各ＢｉＳｔａｔｉｘラベル１９０の導電性マウントパッド１９３を２つの印刷された導電性カーボンアンテナパネル１９５に取り付けるために用いられ得る。トランスポンダ書き込みアンテナ１１０の適切な配置により、このように形成された静電結合ＲＦＩＤトランスポンダは、書き込みされ得る。
【００６３】
より従来の磁気又は電磁結合されたトランスポンダはまた、このように形成され得る。図１６Ｃにおいて、インターメック社製のＩｎｔｅｌｌｉｔａｇ（登録商標）集積回路１９７に基づく２．４５ＧＨｚのＲＦＩＤインテリタグラベル１９６は、インターメック社製のＩｎｔｅｌｌｉｔａｇ（登録商標）集積回路１９７上で２つのアンテナコンタクトに接着された２つの金属製コンタクト１９８をともなうことにより、透明な非導電性ラベルストック１９２上に形成される。これらのインテリタグラベル１９６のロールは、チケット及びタグプリンタ１６８におけるトランスポンダ供給ロール１２８として用いられる。印刷プロセス中に、熱転写リボン１６及び非導電性媒体１９４の適切な選択により、２．４５ＧＨｚの導電性シルバーインクの折り返しダイポールアンテナ１９９が形成され得る。価値を付加する機構５０は、図１６Ｄに示すように、完全なＲＦＩＤトランスポンダを形成するために、導電性シルバーインクの折り返しダイポールアンテナパネル１９９の端部にインテリタグラベル１９６の金属製コンタクト１９８を取り付けるために用いられ得る。トランスポンダ書き込みアンテナ１１０の適切な配置により、このように形成された電磁結合トランスポンダは、書き込みされ得る。
【００６４】
本発明は、個々に及び／又は集合的に、多くの明瞭な利点を提供する。そのような利点としては、例えば以下のものを含む。
１．プログラム制御のもとに、従来のオンデマンドの印刷媒体サンプルにＲＦＩＤトランスポンダを選択的に付加し、これにより、従来のラベルを"スマート"ＲＦＩＤに向上した媒体サンプルに変換する能力
２．プログラム制御のもとに、従来のオンデマンドの印刷媒体サンプル上にプリントアンテナ及び適用されたＲＦＩＤ集積回路を用いたＲＦＩＤトランスポンダを選択的に作製し、これにより、従来のラベルを"スマート"ＲＦＩＤに向上した媒体サンプルに変換する能力
３．従来のラベル、チケット、タグストック、又はカードと同じものを用いた従来又は"スマート"ＲＦＩＤ媒体のいずれかをオンデマンドで製造することができる単一のラベル、チケットタグ、又はプラスチックカードプリンタを提供する能力
４．予め変換されたＲＦＩＤスマートメディアの必要性を除去し、これにより、ラベル変換器によって特別に製造されてユーザによって目録に記入されたこれらのアイテムに付随するコストを除去すること
本発明のさらなる利点としては、以下のものを含む。
５．ＲＦＩＤトランスポンダが最後の媒体サンプル上に実装される又は接着される前に媒体の印刷が完了することから、スマートメディアサンプルの製造における印刷品質上"塊の（lumpy）"トランスポンダの影響力が除去されること
６．スマートラベル、チケット、タグ、又はプラスチックカードを必要に応じて製造するために、従来のラベル、チケット、タグ、又はプラスチックカードを向上させるための付加オプション（add-on option）を設計する能力
７．（オンデマンドに基づくラベルフォーマットソフトウェア制御を用いて必要とされるときにのみスマートメディアが製造され得るように、）従来の媒体供給を基礎として用いた従来又はスマートメディアのいずれかを単一のプリンタに製造させる能力
８．特別なスマートラベルストックの作製及び目録記入に付随する追加コストをともなって、オンデマンドプリンタ用のスマートラベルの特別なロールを製造するためのラベル変換器の必要性の除去
９．ユーザがスマートラベルを製造するために個別の熱転写プリンタを有することの必要性の除去
１０．ユーザのスマートラベル変換器への依存を除去し、これにより、ユーザがそれら既存の変換器の使用を可能とすること
１１．製造ラインにおける全てのプリンタが、従来のラベル、チケット、タグ、及びカードと、スマートラベル、チケット、タグ、及びカードとの両方を、オンデマンドでプログラム制御に基づいて処理することを可能とする設計の許容
１２．既存の従来のラベリングプロセスに、スマートラベルの能力を付加することのコストのオーバーヘッド及び複雑な障壁の削減
さらなる利点及び利益を以下に示す。
【００６５】
上記利点リストに記述されるように、本発明は、任意に選択された媒体の１つ又は全てについてのカスタム形成が、特定の種類又は能力のＲＦＩＤトランスポンダを有することを、真にオンデマンドで可能とし、特定のデータをともなって書き込みされ、及び予め印刷され、又は後で印刷され、さもなければ処理される。これは、エンドユーザが、様々な顧客やアプリケーションの要求を管理するために、様々なプリンタ又はその他のシステムをインストールする必要がないことを含意する。全てのロール又は印刷されていないスマートラベル（それぞれ、異なる素材、接着剤、ラベルフォームファクタ、又はトランスポンダの種類を有し得る）が、ストックされる必要がないことから、そのコスト削減は有意である。単一目的ライン又は装置の資本及び維持費は、回避される。全てのプロセスがコンピュータプログラム制御下とされることから、例えば、単純なラベルからＲＦＩＤラベルへのマニュアル切り替えに不可避的に帰するエラーは除去される。１つの装置又はシステムは、ここで全てのニーズに対処することができる。
【００６６】
より一般的なシーンにおいて、本発明は、一連のラベル、チケット、タグ、カード、又はその他の媒体をオンデマンドで形成する方法に関する。その方法は、類似又は異なる一連の媒体を供給すること、及び、オンデマンドで選択的に適用すること、挿入すること、又はさもなければ、一連の１つ以上の独立した価値を付加する要素における他の媒体ではないある媒体に関連することからなる。上述した望ましい具体例において、その要素は、ＲＦＩＤトランスポンダであるが、後述するように、その他の価値を付加する要素が選択された媒体に関連してもよい。
【００６７】
媒体のオンデマンド形成プロセスについてのより一般的な性質を示す第３の具体例は、図１７乃至図１９に示されるアプリケーションである。"マス・カスタマイゼーション（mass customization）"マーケティングの到来、及び見込みのある特定のデータリソースを入手することが容易になった今日、彼らの識別、属性、嗜好、購入習慣、及びその他の個人特性に関して知られている多くのことについて、見込みのある極めて特定のグループにターゲットを絞ることが可能である。本発明は、特定の購買意欲、及び見込み顧客又は既存顧客の特定の集合体のその他の特性に対して、アピールすることにおいて完全な順応性を与える。
【００６８】
この例としての仮説的なアプリケーションにおいて、旅行カード会社は、顧客用に形成された宣伝用媒体を選択された顧客ベースに送ることを望んでいる。その顧客は、３つのクラス、すなわち、グリーン、ゴールド、及びプラチナカードメンバーからなる。グリーンメンバーは、殆どは休暇のための時折の旅行者であり、カード使用量について最下位のカテゴリを構成する。ゴールドメンバーは、主にビジネスで度々そのカードを使うが、よく海外での休暇にも持参して、グリーンカードメンバーよりも遥かに高い使用量で人数はそれよりも少なく、殆どの旅行資金を旅行カード会社で費やすクラスとして表される。プラチナメンバーは、より少ないクラスで、平均年間カード使用量はゴールドメンバーの５倍であり、殆どはファーストクラスの航空運賃や贅沢なホテルやレストランを使用する海外旅行で費やす。彼らは、度々ビジネスと娯楽との旅行を混合し、よく配偶者や"重要な他人"をともなっている。彼らは、高級クラスの旅行業者及び商取引業者にとって大いに望ましい顧客である。
【００６９】
宣伝用媒体は、ここでは、図１７Ａ及び図１７Ｂにポストカード表側２０２及びポストカード裏側２０４を示すように、分離可能な往復ポストカードをともなった宛名が記載されたポストカードからなるカスタムポストカードセット２００である。ポストカードセット表側２０２は、顧客に特有の郵便住所２０６、及び価値を付加する要素を組み込んだ選択された宣伝用旅行オファーがオンデマンドで印刷されたものが意図される。ポストカードセット２００の裏側２０４には、固定情報が完全に予め印刷される。顧客の宛名が記載されたポストカードのポストカードセット裏側２０４には、高級クルーズＡについての絵入りの情報２０８、及び高級クルーズＢについての絵入りの情報２１０が印刷される。顧客用往復ポストカードのポストカードセット裏側２０４には、旅行カード会社の返信住所２１２、及びビジネス返信郵便料金２１４が印刷される。ポストカードセット２００は、最初の郵送で顧客住所２０６及びビジネス郵便料金無料配達印２１６が見えるように、機械によって折り返され、密封されることを意図するものである。
【００７０】
ポストカードセット表側２０２は、顧客住所２０６において識別される特定の顧客のために作成された宣伝用オファーに依存して図１８に示される領域２１８，２２０に配置されたある価値を付加する要素を含み、顧客に特有の情報及び宣伝用オファーをともなってオンデマンドで印刷される。往復ポストカードのポストカード表側２０２は、関連情報リクエスト領域２２４をともなう高級クルーズＡの説明２２２、また、関連情報リクエスト領域２２８をともなう高級クルーズＢの説明２２６を有する。さらに、ゴールド及びプラチナメンバー用には、特別なオファーが作成されない限り印刷されない特別なオンデマンドで印刷される宣伝用領域が設けられる。これは、顧客がマークできるレスポンス領域２３２，２３４、関連情報リクエスト領域２３６、及び確保領域２３８をともなった宣伝用領域２３０を含む。
【００７１】
図１８において、４つの価値を付加する要素２４０乃至２４６が示されている。保存可能な２クラスクルーズアップグレードクーポン２４０は、グリーンメンバーにのみ提供されることを意図するものである。保存可能な３クラスクルーズアップグレードクーポン２４２は、ゴールド及びプラチナメンバーのみに提供されることを意図するものである。適切なクーポンは、顧客の住所のポストカードのクルーズアップグレードオファー領域２１８に配置される。永久的に取り付けられるＲＦＩＤトランスポンダラベル２４４は、プラチナメンバーへの全ての郵便物のポストカードセット裏側２０４（図１７Ｂ参照）上のプラチナメンバー宣伝用の確保領域２３８に配置される。それは、トランスポンダのメモリに、プラチナメンバーの特定住所、旅行歴、及びカード使用情報２４８を運ぶ。それは、高級商品のみをオンラインで宣伝する旅行カード会社に関連するインターネットサービスプロバイダによる無料グローバルインターネット電子メールサービスのオファーが予め印刷される。プラチナメンバーがその無料電子メールオファーを受け入れた場合には、往復ポストカードは、そのインターネットプロバイダに送られ、ＲＦＩＤトランスポンダラベル２４４のメモリに格納された情報は、無線で読み出され、そのプラチナメンバーのグローバル電子メールアカウントが自動的にセットアップされるように用いられる。トランスポンダが故障した場合には、重要な顧客情報、すなわち、氏名及びカード番号もまた、顧客氏名及びカード番号フィールド２５０にオンデマンドで印刷される。
【００７２】
保存可能な無料フライトクーポン２４６は、主要空港から、ニューヨークシティ、シカゴ、パリ、又は東京のダウンタウンヘリポートまでの無料ヘリコプターフライトについてのアーバンレジェンドヘリコプターサービス（Urban Legends Helicopter Service）からのオファーを含む。それは、毎年合計１５日以上、それら４つの都市のいくつか又は全ての高級ダウンタウンホテルにも滞在するゴールド及びプラチナメンバーのみに提供されることを意図するものである。オファーを与えられたカードメンバーの使用に見合う場合には、それは、顧客住所ポストカード上の特別オファー領域２２０に配置される。
【００７３】
以下詳細に説明する製造プロセスのある様相によれば、オンデマンドで印刷されたポストカードセットは、メンバーのカードの色及び旅行歴に応じて上述したように配置された図１８から選択された価値を付加する要素を備えたグリーン、ゴールド、又はプラチナメンバーそれぞれについて製造される。各メンバーによって受け取られ、それが興味をひくものであった場合には、当該メンバーは、関連した宣伝用オファーを受諾する又は拒否するために、任意の価値が付加された現存のクーポンを保存し、顧客レスポンス領域２３２，２３４（もしあれば）をマークすることに関して特定の行動をとる。そして、興味を有したメンバーは、要求された宣伝用オファーを実行するために、旅行サービス会社への郵便料金支払済みの返信ポストカードを郵送する。
【００７４】
再度図１７を参照すると、メンバーが高級クルーズＡについての情報を受け取ることに興味を有した場合には、クルーズアップグレードオファー領域２１８におけるオファーされた価値を付加するクーポン（２４０又は２４２のいずれか）は、取り外されて情報リクエスト領域２２４に配置される。同様に、高級クルーズＢについての情報は、上述の保存可能なクルーズアップグレードクーポンをオファー領域２１８から取り外し、それを情報リクエスト領域２２８に配置することにより、リクエストされてもよい。プラチナメンバーが、ＲＦＩＤトランスポンダラベル２４４への前刷りによってオファーされた無料グローバル電子メールサービスを受諾することを決定した場合には、彼は、カスタム印刷されたレスポンス領域２３２における"Ｙｅｓ"ボックスをチェックする（ＲＦＩＤトランスポンダラベル２４４が確保領域２３８にも取り付けられる場合には、印刷されるのみ）。アーバンレジェンドヘリコプターズから特別な無料フライトオファークーポン２４８を受け取った選択されたゴールド及びプラチナメンバーがそれを受諾することを決定した場合には、当該メンバーは、そのクーポンを特別領域２２０から取り外して特別領域２３８に配置し、無料フライトを行いたい都市について、カスタム印刷された領域２３６におけるボックスをチェックする。
【００７５】
図１９は、完成したポストカードセットを作製するために用いられ得る３つの異なる形式における本発明の例示としての様相を具体化する３段階製造プロセスの一例の概略を示す平面図である。フィールド２０８，２１０，２１２，２１４（図１７参照）をともなう各ポストカードセット２００の裏側に予め印刷された供給ポストカードストック３００は、（この形式もまたオンデマンドで印刷され得るものの）ビジネス郵便料金無料配達印２１６をともなう表側のみに予め印刷され得る。ポストカードストック３００は、外部に予め書き込みされたトランスポンダラベルを用いた様々な本発明の第２の具体例１６８を含むポストカードプリンタ３０２を通過する。このポストカードプリンタ３０２は、ローカルエリアネットワーク３０８を介して、処理プラグラム３１２及びカードメンバーデータベース３１４を含むメインコンピュータ３１０まで順次接続される製造制御装置３０６までの接続３０４を介して駆動される。カードメンバーデータベース３１４における各エントリからのあるファイル情報は、対応する各ポストカードセット２００の作製において製造操作を指示するための製造制御プログラム３１６によって用いるために、処理プログラム３１２によって選択され、ローカルエリアネットワーク３０８を介して製造制御装置３０６へと転送される。
【００７６】
一般に、カードメンバーデータベース３１４におけるメンバーファイルは、連続的なカード番号順となっているが、カードメンバー口座の開設期間中にメンバーシップカラーが変わってもよいように、当該メンバーシップカラーによってランダムとされる。困難に遭遇した各プラチナメンバーファイルのために、上述した本発明の第１の具体例を含むトランスポンダラベルプリンタ３１８は、ＲＦＩＤトランスポンダラベル２４４を作製するために、接続３２０を介して製造制御装置３０６によって指示される。トランスポンダラベルプリンタ３１８は、ダイカットラベル供給３２２及び自己粘着のＲＦＩＤトランスポンダ供給３２４を用いて、書き込みされたＲＦＩＤトランスポンダラベル２４４の連続的なトランスポンダラベルストリップ３２６を製造する。各トランスポンダラベルストリップ３２６には、プラチナメンバーの氏名及びカード番号が予め印刷されており、データベース３１４からのカードメンバー関連情報が符号化されたＲＦＩＤトランスポンダを組み込んでいる。ＲＦＩＤトランスポンダラベル２４４のこの連続的なトランスポンダラベルストリップ３２６は、ポストカードプリンタ３０２用のＲＦＩＤトランスポンダラベル供給として用いられる。
【００７７】
製造操作の段階１は、ポストカードプリンタ３０２によって実行され、全てのオンデマンド印刷操作を含む。ポストカードプリンタ３０２が各カードメンバー用のポストカードセット２００の作製開始を指示されると、必要なカードメンバー情報は、接続３０４を介して当該ポストカードプリンタ３０２へと転送される。グリーン又はゴールドカードメンバーの情報が発見された場合には、カードの表側の適切なオンデマンドで印刷された顧客住所２０６、並びに高級クルーズＡ，Ｂの情報２２２，２２６は、それぞれ、往復ポストカード（図１７参照）のポストカードセット表側２０２に印刷される。ゴールド又はプラチナメンバーが無料フライトクーポンの資格を有するものとして発見された場合には、オファーされた顧客がマークできるレスポンス領域２３２もまた印刷される。全てのプラチナメンバー用に、フィールド２０６，２２２，２２６は、ゴールドメンバー用と同様に印刷され、特別な生涯電子メールのオファーのための顧客がマークできるレスポンス領域２３４もまた、印刷される。対応するＲＦＩＤトランスポンダラベル２４４が適切な配置にあることが最初に検証され、上記ＲＦＩＤトランスポンダラベル２４４は、確保されたフィールド２３８に配置される。製造段階１の出力としての第１のグリーンメンバーポストカードセット３２８及び第１のプラチナメンバーポストカードセット３３０の概略例は、図１９に示される。
【００７８】
製造プロセスの段階２において、本発明を組み込んだ付加的な価値を付加するプロセスは、図１８に示される１つ以上の選択された価値を付加する要素の付加により、ポストカードセット媒体のカスタム形成を完成するために用いられる。第１の付加的な価値を付加するプロセス３３２は、接続３３６を介して製造制御装置３０６によって指示された場合には、第１のクーポン供給部３３４からポストカードセット２００へと２クラスクルーズアップグレードクーポン２４０を選択的に付加する。第２の付加的な価値を付加するプロセス３３８は、接続３４２を介して製造制御装置３０６によって指示された場合には、第２のクーポン供給部３４０からポストカードセット２００へと３クラスクルーズアップグレードクーポン２４２を選択的に付加する。第３の付加的な価値を付加するプロセス３４４は、接続３４８を介して製造制御装置３０６によって指示された場合には、第３のクーポン供給部３４６からポストカードセット２００へと無料フライトクーポン２４６を選択的に付加する。
【００７９】
段階２からの出力例は、カスタム形成ポストカード媒体３５０，３５２，３５４，３５６として示される。第２のプラチナメンバーポストカードセット３５０は、第３の付加的な価値を付加するプロセス３４４を用いた無料フライトクーポン２４６、第２の付加的な価値を付加するプロセス３３８によって付加された３クラスクルーズアップグレードクーポン２４２、及びトランスポンダラベルプリンタ３０２における本発明の第１の具体例によって形成され且つポストカードプリンタ３０２における本発明の第２の具体例によって配置されたようなＲＦＩＤトランスポンダラベル２４４をともなってカスタム形成される。第１のゴールドメンバーポストカードセット３５２は、第２の付加的な価値を付加するプロセス３３８において付加された３クラスクルーズアップグレードクーポン２４２のみをともなってカスタム形成される。第２のグリーンメンバーポストカードセット３５４は、第１の付加的な価値を付加するプロセス３３２において付加された３クラスクルーズアップグレードクーポン２４２のみを受け取ったグリーンメンバー用に形成される。第２のゴールドメンバーポストカードセット３５６は、第２の付加的な価値を付加するプロセス３３８からのクルーズアップグレードクーポン２４２、及び第３の付加的な価値を付加するプロセス３４４からの無料フライトクーポン２４６をともなってカスタム形成される。
【００８０】
図１９の製造プロセスの段階３においては、シート状−折り返し−密封（sheeter-folder-sealer）処理部３５８が、接続３６０を用いた製造制御装置３０６の制御下で、郵送用のカスタム形成されたポストカード媒体を作製するために用いられる。その連続的なポストカード媒体は、個別のポストカードセット２００に裁断され、顧客住所ポストカードセット表側２０２の表面がさらされるように折り返されて密封される。段階３の出力例、すなわち、完成したポストカードセット３６２は、完成したカスタム形成されたポストカード媒体３６４のスタック上に、シート状−折り返し−密封処理部３５８から排出されるように示される。
【００８１】
図１７乃至図１９の複数の代替としての方法及びシステムは、本発明によって熟考される。例えば、１つの変形において、クーポン２４０、２４２及び／又は２４６もまた、ＲＦＩＤトランスポンダを有する。これらの価値を付加する要素におけるトランスポンダは、トランスポンダ２４４に関して上述した同じのデータをともなって書き込みされてもよい。この変形においてユニークな点は、剥離されてその媒体の他の部分（別の異なる媒体でもあり得る）へと転送される要素が、プロモーションの主催者又は他の関係者によって無線でアクセスされ得る有用な情報を含むメモリをそこに具体化されていることである。
【００８２】
代替として、メモリを有するタイプのＲＦＩＤトランスポンダではなく、チップレスのＲＦＩＤトランスポンダが代用されてもよい。例えば、２４４で示されるようなトランスポンダではなく、カードセット２００上のスペース２３８において、一連の共振導線（a resonant series of conductive lines）がカード上に印刷されてもよい。または、他の様々なチップレスのＲＦＩＤ技術が用いられてもよい。図１６に示されるものに同様の種類の集積回路ラベルもまた、もとの位置に（in situ）ＲＦＩＤトランスポンダを形成するためのプリントアンテナをともなって用いられてもよい。
【００８３】
本発明の様相の例によれば、図１７乃至図１９に示されたように、オンデマンドで郵便は送られ、それは以下の特性を有する。
１）見込みのあるターゲットの既知の興味にアピールするように仕向けられた媒体への様々な個人化されたオンデマンドの印刷
２）媒体上にオンデマンドで配置された様々なターゲットのクーポン又は他の価値を付加する要素
３）返送された場合に、カードの処理後に用いられるであろうターゲットに特有のデータを含むＲＦＩＤトランスポンダ
４）ターゲット及び蓄積された情報に結び付けられたトランスポンダへのオンデマンド印刷
５）コーディネートされた見込みのある特別のアピールを形成するための、見込みのあるターゲットに関連するのみならず互いにも関連する複数の価値を付加する要素
６）単に一般的な「はい、私は購入したい」トークンではなく、特定の見込み顧客に個人化されたレスポンスアイテムであり、見込み顧客にアクションをとるように助長するアクションレスポンスアイテム（転送されたクーポン）
【００８４】
要するに、そのカードは、半ダース若しくはそれ以上のオンデマンド印刷、又は強力に個人化されて統合されたセールスアピールを開発するためにコーディネートされた価値を付加する要素を有してもよい。
【００８５】
本発明の主要なある様相の例の他のさらなる実行において、トランスポンダ５２は、同じ媒体上の他の価値を付加する要素のアプリケーションのような次のプロセスを制御する命令をともなって書き込みされてもよい。例えば、図１７乃至図１９の変形具体例において、価値を付加するプロセス３３２、３３８及び／又は３４４は、分類され、制御装置３０６の制御下にない。ＲＦＩＤトランスポンダラベル２４４は、当該トランスポンダラベル２４４を含む媒体に付加される価値を付加する要素の種類、内容、又は他の特性を決定する価値を付加するプロセスの一部として読み出される命令をともなって書き込みされ得る。代替として、例えば、ラベル２４４に格納されたアドレスデータは、正確な郵便料金を決定するために郵送料金計測ステーションで読み出され得る。
【００８６】
したがって、図１７乃至図１９の具体例は、一連の若しくは個別の価値を付加する要素を選択的に適用し、挿入し、又は他の媒体ではないある特定の媒体と関連付けることにより、一連のラベル、チケット、タグ、プラスチックカード、ポストカード又は他の媒体をオンデマンドで形成する方法として、本発明のある特定の例示的な特徴を示している。そして、望ましくは、そこで統合された完成品として、媒体及び／又は価値を付加する要素に対する１つ以上の印刷のアプリケーションは、エンドユーザ及びその他に対する情報の提示においてさらなる柔軟性を与える。
【００８７】
図２０を参照すると、トランスポンダアプリケータ機構３００の１つの具体例が示され、選択的にオンデマンドで、プログラム制御下で、ＲＦＩＤトランスポンダを符号化し、粘着性背面の予め印刷されたダイカットラベル２６に対して同様に取り付けられる。トランスポンダアプリケータ機構３００は、既存の熱転写プリント機構１０と統合され、又は任意の補機として熱転写プリンタに取り付けられることが可能である。
【００８８】
図２０に示す本発明の具体例においては、印刷されたダイカットラベル２６は、ピーラーバー３２及びラベルキャリア巻き取り機構３４の作動により、そのラベルキャリア１２から除去される。プラテンローラ２０によって駆動される前方移動中に、印刷されたダイカットラベル２６の印刷された面は、穿孔真空ガイドプレート３０２に沿って媒体排出口３０に向かって略直線の軌道を維持する。閉じられたプレナムから空気３０８を放出する遠心性送風装置３０６によって生成される軽い真空力３０４は、ダイカットラベル２６の移動を妨げることなく、その軌道を制御する。
【００８９】
スマートラベルの形成及び符号化が望まれる場合には、ダイカットラベル２６を印刷する前に、ＲＦＩＤトランスポンダ３１２は、アンテナ３１４の下に位置する。アンテナ３１４は、ＲＦＩＤトランスポンダ３１２を符号化し、高周波信号（radio signal）３１６を用いて、このアプリケーションで示されたものと同様に検証する。示された具体例において、トランスポンダは、粘着性背面であり、インレイ供給機構３２０によるインレイキャリア３１８から供給されたダイカットである。
【００９０】
図２１を参照すると、次のダイカットラベル１４の先端がプリントヘッド１８の下に位置する場合、プラテンローラ２０及びラベルキャリア巻き取り機構３４の動作は停止する。また、印刷されたダイカットラベル２６の前方移動は、ここで、通常は操作的にプラテンローラ２０の駆動装置に結合されたシリコン駆動ローラ３２２によって駆動し続けるが、表面速度よりも僅かに速い速度で作動する。それは、印刷されたダイカットラベル２６の粘着側及びバネで付勢されたニップローラ３２４を軽く押圧する。
【００９１】
正確な符号化及び検証が行われたと仮定して、印刷されたダイカットラベル２６がその前方への動程で正確な位置にある場合には、符号化されたＲＦＩＤトランスポンダ３１２は、インレイキャリア３１８上のインレイキャリア巻き取り機構３２６の作動によって前方へと移動される。トランスポンダ３１２がローラ３２８上の軌道の頂部に到達すると、リニアアクチュエータ３３０は、符号化されたトランスポンダ３１２の先端を印刷されたダイカット２６の粘着側に押圧する小さなローラ３２８を回転させる。
【００９２】
インレイキャリア３１８及び印刷されたダイカットラベル２６は、両方とも、図２２に示すように、符号化されたＲＦＩＤトランスポンダ３１２が、小さなローラ３２８を通過するときにインレイキャリア３１８から剥離されるように、同じ表面速度で前方へと駆動される。符号化されたＲＦＩＤトランスポンダ３１２が完全にインレイキャリア３１８から剥離されると、リニアアクチュエータ３３０は収縮し、次の符号化されていないトランスポンダ３３２は、次のスマートラベルの施行サイクルにおける使用のために、アンテナ３１４の下に位置する。
【００９３】
図２３を参照すると、前方への移動は、剥離された印刷されたダイカットラベル及び符号化されたＲＦＩＤトランスポンダのサンドイッチ（２６／３１２）が媒体出口３０に搬送されるまで継続する。バネで付勢されたニップローラ３２４に対してサンドイッチ上で作動するシリコン駆動ローラ３２２によって形成されるニップの圧力は、剥離された印刷されたダイカットラベルと符号化されたＲＦＩＤトランスポンダサンドイッチ（２６／３１２）とを永久的に接着する。
【００９４】
検証できないトランスポンダは、（１）上述したような"無効"印刷ラベルが取り付けられる、（２）インレイキャリア巻き取り機構３２６によるインレイキャリア３１８上にある間に取り戻される、又は（３）内部で廃物ビン（bin）に施行される、のいずれかであろう。後の２つの方法は、悪いトランスポンダを排除するためにラベルを浪費することを回避する。
【００９５】
活性粘着剤を用いた（すなわち、ダイカットラベルキャリア１２がない場合）連続的なライナーレス媒体のためのさらなる具体例が図２４に示されている。ここでは、プラテンローラ２０及び駆動ローラ３２２は、両方とも、これらのローラにラベル及びトランスポンダが粘着することを回避するために、シリコン化されている。連続的なライナーレスラベルストック３５０は印刷され、符号化されたＲＦＩＤトランスポンダ３１２は、上記具体例と同様の方法で取り付けられる。しかしながら、完成したラベルが媒体排出口３０に施行されると、図示するように、任意の電気的に動作されるカッターアセンブリ３５２は、取り付けられて符号化されたＲＦＩＤトランスポンダ３１２を備えた又は備えない完成したライナーレスラベル３５４を裁断するために用いられる。その連続的なライナーレスラベルストック３５０は、プリントヘッド１８の下の初期印刷位置に引き込められる。
【００９６】
（Ａｐｐｌｅｔｏｎ社  Ａｃｔｉｆｕｓｅ  ライナー材のような）不活性化された接着剤が用いられる場合には、任意の収縮動作機構３５６は、完成したライナーレスラベル３５４を裁断部分へと搬送するように施行されるべき、余分な媒体の長さが収縮された当該完成したライナーレスラベル３５４の長方向に沿って接着剤を活性化させるために用いられてもよい。さもなければ、上述したような一般的なライナーレス材をともなった具体例が機能する。
【００９７】
上述した事項により、複数の変形及びバリエーションが、本発明の斬新な概念の本質及び範囲から逸脱することなく、その技術の熟練者により、遂行され得ることもまた認められることになるであろう。限定は、特定の具体例に関して意図されるものでもなく、推論されるべきものでもないことは理解されている。
【００９８】
この開示は、特許請求の範囲が適切に解釈される場合には、添付した特許請求の範囲より、特許請求の範囲内での全ての変形を包含することを意図している。
【図面の簡単な説明】
【００９９】
【図１】図１は、標準の熱転写ラベルプリント機構の概略を示す側面図である。
【図２】図２は、インレイキャリア上で粘着性背面を備えて搬送される複数の受動インレイタイプＲＦＩＤトランスポンダの概略を示す図である。
【図３】図３は、本出願で開示される本発明の具体例としての多くの様相を含む熱転写プリンタの概略を示す側面図である。
【図４】図４は、図３に示される熱転写プリンタの一部を正面からみた断面図であり、タンピングアプリケータ機構の詳細を示す図である。
【図５】図５は、図３に示される熱転写プリンタを正面からみたときの概略を示す断面図であり、トランスポンダ施行機構が完全に収縮した初期位置に設けられているときの図である。
【図６】図６は、図３に示される熱転写プリンタのいくつかのキーエレクトロニックサブシステム及び要素の概略を示すブロック図である。
【図７】図７は、図３乃至図６に示される熱転写ラベルプリンタによって実行される各印刷ジョブについて図６に示されるプロセッサユニットによって実行されるある特定のキープログラムステップを示すプログラムフローチャートである。
【図８】図８は、ＲＦＩＤトランスポンダが熱転写プリンタによって印刷されたデラミネートされたダイカットラベルに関して適所及び定位置に位置するように、図５に示されるトランスポンダ施行機構が拡張された位置に載置されたときにおいて、図３に示される熱転写プリンタを正面からみたときの概略を示す断面図である。
【図９】図９は、熱転写プリント機構によって印刷されることになっている媒体サンプルに対して書き込みされたＲＦＩＤトランスポンダを永久的に取り付けるために図４に詳述されるタンピングアプリケータ機構が使用されるとともに、書き込みされたトランスポンダの背面からインレイキャリアを剥離してこれによって粘着層をさらすためにリニアアクチュエータが施行機構を収縮したときにおいて、図５に示される熱転写プリンタを正面からみたときの概略を示す断面図である。
【図１０】図１０は、ダイカットラベル／書き込みされたトランスポンダのサンドイッチが形成されてダイカットラベルキャリアに対して再度ラミネートされたときにおいて、図３に示される熱転写プリンタを側面からみたときの概略を示す断面図である。
【図１１】図１１は、図３に開示されたものと同様であり、この特許出願において開示される本発明のさらなる具体例の多くの様相を組み込み、それ自体は粘着層を含まない固い媒体に対してＲＦＩＤトランスポンダのような粘着性背面の価値を付加する装置を取り付けることを可能とする熱転写プリント機構の概略を示す側面図である。
【図１２】図１２は、粘着性背面の書き込みされたＲＦＩＤトランスポンダが、価値を付加する機構に関する施行位置に載置されたときの、図１１に示される熱転写プリント機構の概略を示す側面図である。
【図１３】図１３は、粘着性背面の書き込みされたＲＦＩＤトランスポンダが固い媒体に対して取り付けられたときの、図１１に示される熱転写プリント機構の概略を示す側面図である。
【図１４】図１４は、書き込みされたＲＦＩＤトランスポンダが取り付けられた粘着性背面の固い媒体が施行位置へと進められたときの、図１１に示される熱転写プリント機構の概略を示す側面図である。
【図１５】図１５は、図１１乃至図１４に示される熱転写ラベルプリンタによって実行される各印刷ジョブについて図６に示されるプロセッサユニットによって実行されるある特定のキープログラムステップを示すフローチャートである。
【図１６（Ａ）】図１６(Ａ)は、２種類のＲＦＩＤ集積回路ラベルと、図１１乃至図１５に示される熱転写プリンタの変形例を用いたプロセスにおいて実際のＲＦＩＤトランスポンダを形成するための２つの対応する種類のプリントアンテナに対する２種類のＲＦＩＤ集積回路ラベルの取り付けとを示す概略図である。
【図１６（Ｂ）】図１６(Ｂ)は、２種類のＲＦＩＤ集積回路ラベルと、図１１乃至図１５に示される熱転写プリンタの変形例を用いたプロセスにおいて実際のＲＦＩＤトランスポンダを形成するための２つの対応する種類のプリントアンテナに対する２種類のＲＦＩＤ集積回路ラベルの取り付けとを示す概略図である。
【図１６（Ｃ）】図１６(Ｃ)は、２種類のＲＦＩＤ集積回路ラベルと、図１１乃至図１５に示される熱転写プリンタの変形例を用いたプロセスにおいて実際のＲＦＩＤトランスポンダを形成するための２つの対応する種類のプリントアンテナに対する２種類のＲＦＩＤ集積回路ラベルの取り付けとを示す概略図である。
【図１６（Ｄ）】図１６(Ｄ)は、２種類のＲＦＩＤ集積回路ラベルと、図１１乃至図１５に示される熱転写プリンタの変形例を用いたプロセスにおいて実際のＲＦＩＤトランスポンダを形成するための２つの対応する種類のプリントアンテナに対する２種類のＲＦＩＤ集積回路ラベルの取り付けとを示す概略図である。
【図１７（Ａ）】図１７(Ａ)は、オンデマンド印刷されたポストカードセット媒体、及び本発明の具体例によって製造プロセスにおいて様々な価値を付加する要素が付加されたポストカードセット媒体の表側及び裏側の概略図である。
【図１７（Ｂ）】図１７(Ｂ)は、オンデマンド印刷されたポストカードセット媒体、及び本発明の具体例によって製造プロセスにおいて様々な価値を付加する要素が付加されたポストカードセット媒体の表側及び裏側の概略図である。
【図１８】図１８は、図１９に示される製造プロセスの例により、図１７のポストカードセット媒体に対してある組み合わせで付加された４つの価値を付加する要素を示す図である。
【図１９】図１９は、図１８の１つ以上の価値を付加する要素の付加により、図１７のポストカードセット媒体を選択的にオンデマンドで形成するために用いられる２つの本発明の具体例の形式を組み込んだ製造プロセスの例の概略を示す平面図である。
【図２０】図２０は、この特許出願で開示される本発明の多くの様相を組み込んだ熱転写プリント機構の概略を示す側面図であり、選択的且つオンデマンドでプログラム制御のもとに、符号化され、粘着性背面の予め印刷されたダイカットラベルに取り付けられるＲＦＩＤトランスポンダを示す図である。
【図２１】図２１は、この特許出願で開示される本発明の多くの様相を組み込んだ熱転写プリント機構の概略を示す側面図であり、選択的且つオンデマンドでプログラム制御のもとに、符号化され、粘着性背面の予め印刷されたダイカットラベルに取り付けられるＲＦＩＤトランスポンダを示す図である。
【図２２】図２２は、この特許出願で開示される本発明の多くの様相を組み込んだ熱転写プリント機構の概略を示す側面図であり、選択的且つオンデマンドでプログラム制御のもとに、符号化され、粘着性背面の予め印刷されたダイカットラベルに取り付けられるＲＦＩＤトランスポンダを示す図である。
【図２３】図２３は、この特許出願で開示される本発明の多くの様相を組み込んだ熱転写プリント機構の概略を示す側面図であり、選択的且つオンデマンドでプログラム制御のもとに、符号化され、粘着性背面の予め印刷されたダイカットラベルに取り付けられるＲＦＩＤトランスポンダを示す図である。
【図２４】図２４は、図２０乃至図２３に開示されたものと同様であり、ＲＦＩＤトランスポンダが、選択的且つオンデマンドでプログラム制御のもとに、符号化され、ライナーレス媒体に取り付けられることを可能とする熱転写プリント機構の概略を示す側面図である。
【図１】
2005525945.tif 000003
【図２】
2005525945.tif 000004
【図３】
2005525945.tif 000005
【図４】
2005525945.tif 000006
【図５】
2005525945.tif 000007
【図６】
2005525945.tif 000008
【図７】
2005525945.tif 000009
【図８】
2005525945.tif 000010
【図９】
2005525945.tif 000011
【図１０】
2005525945.tif 000012
【図１１】
2005525945.tif 000013
【図１２】
2005525945.tif 000014
【図１３】
2005525945.tif 000015
【図１４】
2005525945.tif 000016
【図１５】
2005525945.tif 000017
【図１６（Ａ）】
2005525945.tif 000018
【図１６（Ｂ）】
2005525945.tif 000019
【図１６（Ｃ）】
2005525945.tif 000020
【図１６（Ｄ）】
2005525945.tif 000021
【図１７（Ａ）】
2005525945.tif 000022
【図１７（Ｂ）】
2005525945.tif 000023
【図１８】
2005525945.tif 000024
【図１９】
2005525945.tif 000025
【図２０】
2005525945.tif 000026
【図２１】
2005525945.tif 000027
【図２２】
2005525945.tif 000028
【図２３】
2005525945.tif 000029
【図２４】
2005525945.tif 000030
【手続補正書】
【提出日】平成16年6月2日(2004.6.2)
【手続補正１】
【補正対象書類名】特許請求の範囲
【補正対象項目名】全文
【補正方法】変更
【補正の内容】
【特許請求の範囲】
【請求項１】
選択されたオブジェクトが、印刷された素材、並びに、電気回路、メモリ、及びＲＦ呼びかけ信号に応答可能なアンテナを備えたＲＦＩＤトランスポンダを有する"スマート"媒体サンプルを要求する環境と、他のオブジェクトが、印刷された素材を有するもののＲＦＩＤトランスポンダを有しない従来の（"性質が欠けた"）媒体サンプルを要求する環境とにて用いられ、ホストプロセッサからの書き込みされた命令に応じて、オンデマンドで、スマートメディア及び従来の性質が欠けた媒体サンプルの両方を作製する媒体処理システムであって、
ａ．一連のラベル、チケット、タグ、カード、又は他の媒体サンプルを受け取るように形成され、書き込みされたフォーマット、及び上記一連の媒体サンプルの各媒体サンプルについて個別化された印刷命令であって上記媒体サンプル上に印刷するもの及び場所に関する命令の内容に応じて、上記媒体サンプル上に印刷するオンデマンド印刷装置と、
ｂ．上記一連の媒体サンプル及び一連のＲＦＩＤシステム構成要素を受け取るように形成されたオンデマンドで価値を付加する機構であり、各媒体サンプルが、上記スマートメディアサンプルを与えるために上記一連の構成要素からＲＦＩＤシステム構成要素を適用するように当該価値を付加する機構に命令するか、又は上記媒体サンプルに性質を欠けさせるために当該媒体サンプルに対してＲＦＩＤシステム構成要素を適用しないように当該価値を付加する機構に命令するかのいずれかについての書き込みされて個別化された命令に対して応答する価値を付加する機構とを備え、
ｃ．当該媒体処理システムは、上記オブジェクトに対する選択的なアプリケーションのための一連のスマートメディアサンプルと性質が欠けた媒体サンプルとを混合してオンデマンドで製造可能であること
を特徴とする媒体処理システム。
【請求項２】
上記印刷装置は、媒体サンプルプリンタを含み、
上記価値を付加する機構は、上記媒体サンプルプリンタに対する付属物を含むこと
を特徴とする請求項１記載の媒体処理システム。
【請求項３】
上記媒体サンプルは、ライナーを有すること
を特徴とする請求項１記載の媒体処理システム。
【請求項４】
上記媒体サンプルは、ライナーレスであること
を特徴とする請求項１記載の媒体処理システム。
【請求項５】
上記媒体サンプルのそれぞれは、粘着性背面を有し、
上記価値を付加する機構は、上記粘着性背面に対してＲＦＩＤシステム構成要素を接着すること
を特徴とする請求項１記載の媒体処理システム。
【請求項６】
上記媒体サンプルは、粘着性背面を有せず、
上記価値を付加する機構は、上記スマートメディアサンプルのそれぞれの非粘着性表面に対して粘着性背面を有するＲＦＩＤシステム構成要素を接着すること
を特徴とする請求項１記載の媒体処理システム。
【請求項７】
上記ＲＦＩＤシステム構成要素は、ＲＦＩＤトランスポンダを含むこと
を特徴とする請求項１記載の媒体処理システム。
【請求項８】
上記ＲＦＩＤシステム構成要素は、ＲＦＩＤ回路類又はアンテナ実装パッドを含むこと
を特徴とする請求項１記載の媒体処理システム。
【請求項９】
上記印刷装置は、上記媒体サンプル上に導電性アンテナを印刷するように形成されること
を特徴とする請求項１記載の媒体処理システム。
【請求項１０】
書き込みされた命令に対する応答は、上記媒体サンプルに対するＲＦＩＤ集積回路を上記価値を付加する機構に適用させるとともに、上記ＲＦＩＤ集積回路に電気的な接触をさせるように適応される導電性アンテナを上記印刷装置に形成させることによって媒体サンプル上にＲＦＩＤトランスポンダを作り上げるように形成されること
を特徴とする請求項１記載の媒体処理システム。
【請求項１１】
上記印刷装置は、熱転写プリンタであり、
上記導電性アンテナは、熱転写リボンから転写された導電性インク又はカーボンの構成を含むこと
を特徴とする請求項１０記載の媒体処理システム。
【請求項１２】
上記ＲＦＩＤトランスポンダに格納された情報を検証するように形成されること
を特徴とする請求項７記載の媒体処理システム。
【請求項１３】
書き込みされた命令に応じて、上記ＲＦＩＤトランスポンダに対して書き込む及び上記ＲＦＩＤトランスポンダから読み出すように形成されること
を特徴とする請求項１２記載の媒体処理システム。
【請求項１４】
上記印刷装置が印刷する前に、上記ＲＦＩＤトランスポンダを認証するように形成されること
を特徴とする請求項１２記載の媒体処理システム。
【請求項１５】
上記価値を付加する機構は、上記トランスポンダが検証された後に、媒体サンプルに対してＲＦＩＤトランスポンダを適用するように形成されること
を特徴とする請求項１２記載の媒体処理システム。
【請求項１６】
上記価値を付加する機構は、ライナー上の上記一連のトランスポンダを受け取り、正確に検証されない全てのトランスポンダを上記ライナー上で保持するように形成されること
を特徴とする請求項１５記載の媒体処理システム。
【請求項１７】
上記価値を付加する機構は、上記ライナーから剥離され且つ媒体サンプルに対して適用されるようにトランスポンダが位置する位置であって媒体サンプルに隣接する第１の位置と、上記ライナーから剥離され且つ上記媒体サンプルに対して適用されるようにトランスポンダが位置しない位置であって上記媒体サンプルから離隔された第２の位置とを有する移動可能手段を含むこと
を特徴とする請求項１６記載の媒体処理システム。
【請求項１８】
上記移動可能手段は、電磁的アクチュエータを含むこと
を特徴とする請求項１７記載の媒体処理システム。
【請求項１９】
上記電磁的アクチュエータは、リニアアクチュエータを含むこと
を特徴とする請求項１８記載の媒体処理システム。
【請求項２０】
粘着層は、ＲＦＩＤシステム構成要素と関連する媒体サンプルとの間に介在して存在し、
上記価値を付加する機構は、上記ＲＦＩＤシステム構成要素及び上記関連する媒体サンプルをともに押圧するように形成された圧力適用構造を含むこと
を特徴とする請求項１記載の媒体処理システム。
【請求項２１】
上記圧力適用構造は、タンパーを含むこと
を特徴とする請求項２０記載の媒体処理システム。
【請求項２２】
上記タンパーは、
高速作動ソレノイドと、
上記ソレノイドによって駆動されるガススプリングと、
上記ＲＦＩＤシステム構成要素及び上記関連する媒体サンプルをともに押圧するための表面を画定する上記ガススプリングに結合された圧力適用機構とを含み、
上記ガススプリングは、上記ソレノイドの高速作動を減衰すること
を特徴とする請求項２１記載の媒体処理システム。
【請求項２３】
上記価値を付加する機構は、ＲＦＩＤシステム構成要素が媒体サンプルに対して適用されるときに上記媒体サンプルを保持する真空装置を含むこと
を特徴とする請求項１記載の媒体処理システム。
【請求項２４】
上記真空装置は、真空コンベアを含むこと
を特徴とする請求項２３記載の媒体処理システム。
【請求項２５】
ＲＦＩＤシステム構成要素が媒体サンプルに対して適用されるときに上記媒体サンプルを保持する真空装置を含むこと
を特徴とする請求項２０記載の媒体処理システム。
【請求項２６】
上記価値を付加する機構は、選択された媒体サンプルに対して複数のＲＦＩＤシステム構成要素を適用すること
を特徴とする請求項１記載の媒体処理システム。
【請求項２７】
上記印刷装置は、サーマルプリンタ又は熱転写プリンタを含むこと
を特徴とする請求項１記載の媒体処理システム。
【請求項２８】
上記ＲＦＩＤトランスポンダは、チップレス、受動型、又は能動型のＲＦＩＤトランスポンダを含むこと
を特徴とする請求項７記載の媒体処理システム。
【請求項２９】
媒体サンプルに対する上記ＲＦＩＤシステム構成要素の適用を有効とするのを支援するように指示されたガスフローを作製するように形成されること
を特徴とする請求項１記載の媒体処理システム。
【請求項３０】
媒体サンプルに対して少なくとも１つのＲＦＩＤシステム構成要素と、ＲＦＩＤシステム構成要素ではない少なくとも１つの価値を付加する要素とを適用するように形成されること
を特徴とする請求項１記載の媒体処理システム。
【請求項３１】
上記印刷命令は、上記印刷装置に上記媒体サンプル上の図情報を印刷させること
を特徴とする請求項１記載の媒体処理システム。
【請求項３２】
上記ＲＦＩＤトランスポンダは、ソフトウェアプログラムを格納するメモリを有すること
を特徴とする請求項１記載の媒体処理システム。
【請求項３３】
上記ソフトウェアプログラムは、上記媒体サンプルのさらなる処理を命令すること
を特徴とする請求項３２記載の媒体処理システム。
【請求項３４】
上記ＲＦＩＤシステム構成要素は、ＲＦＩＤトランスポンダであり、
当該媒体処理システムは、上記ＲＦＩＤトランスポンダに対して書き込み及び上記ＲＦＩＤトランスポンダから読み出すように形成されたトランスポンダプログラマを有すること
を特徴とする請求項１記載の媒体処理システム。
【請求項３５】
第１の書き込みされた命令に応じた上記トランスポンダプログラマは、第２のプログラム命令を備えた上記トランスポンダを符号化すること
を特徴とする請求項３４記載の媒体処理システム。
【請求項３６】
上記第２の書き込みされた命令は、上記媒体サンプルのさらなる処理を指示すること
を特徴とする請求項３５記載の媒体処理システム。
【請求項３７】
ａ．ネットワーク化された製造制御装置と、
ｂ．データベースと、
ｃ．製造プロセスプログラムと
を含む、より大きな製造システムの構成要素として形成されること
を特徴とする請求項１記載の媒体処理システム。
【請求項３８】
上記製造システムは、オンデマンドで符号化されたＲＦＩＤトランスポンダ及びオンデマンドで印刷された素材を搬送する媒体サンプルをオブジェクトに対して適用するためのアプリケータを含むこと
を特徴とする請求項３７記載の媒体処理システム。
【請求項３９】
上記媒体サンプルは、粘着性背面を有し、
上記オブジェクトは、上記媒体サンプルが上記アプリケータによって接着される表面を有すること
を特徴とする請求項３８記載の媒体処理システム。
【請求項４０】
書き込みされた命令に応じた上記製造システムのアプリケータは、上記オブジェクト上に選択された位置に媒体サンプルを配置すること
を特徴とする請求項３８記載の媒体処理システム。
【請求項４１】
上記選択された位置は、以下の１つ以上によって少なくとも部分的に決定されること
１）上記媒体サンプルが配置される上記オブジェクトの内容
２）上記媒体サンプルが配置される上記オブジェクト上の印刷される素材の位置
３）上記データベースに格納されたデータ
４）上記オブジェクトの目的地
５）上記オブジェクト上の少なくとも１つの他の価値を付加する要素位置又は性質
を特徴とする請求項４０記載の媒体処理システム。
【請求項４２】
上記オブジェクト上の上記媒体サンプルによって占領されない位置における上記オブジェクト上の素材を印刷するためのプリンタを含むこと
を特徴とする請求項３８記載の媒体処理システム。
【請求項４３】
上記媒体サンプルは、当該媒体サンプルが、上記オブジェクト又は当該媒体サンプルに対する損傷なしに当該オブジェクトから剥離され得るように形成された粘着性背面を有すること
を特徴とする請求項３８記載の媒体処理システム。
【請求項４４】
領域上の媒体サンプルを後で受け取るための当該領域を処理するように形成されること
を特徴とする請求項３８記載の媒体処理システム。
【請求項４５】
上記媒体サンプルに加えて上記オブジェクトに対する少なくとも１つの価値を付加する要素を適用するように形成されること
を特徴とする請求項３８記載の媒体処理システム。
【請求項４６】
上記オブジェクトの目的地アドレスを備えた上記ＲＦＩＤトランスポンダを符号化し、上記印刷装置に上記媒体サンプル上の上記アドレスを印刷させるように形成されること
を特徴とする請求項３８記載の媒体処理システム。
【請求項４７】
上記媒体サンプルは、ラベルであり、
上記オブジェクトは、ポストカードであること
を特徴とする請求項３８記載の媒体処理システム。
【手続補正２】
【補正対象書類名】図面
【補正対象項目名】図５
【補正方法】変更
【補正の内容】
【図５】
2005525945.tif 000031
【手続補正３】
【補正対象書類名】図面
【補正対象項目名】図６
【補正方法】変更
【補正の内容】
【図６】
2005525945.tif 000032
【手続補正４】
【補正対象書類名】図面
【補正対象項目名】図８
【補正方法】変更
【補正の内容】
【図８】
2005525945.tif 000033
【手続補正５】
【補正対象書類名】図面
【補正対象項目名】図１９
【補正方法】変更
【補正の内容】
【図１９】
2005525945.tif 000034
【国際調査報告】
2005525945.tif 000035